【手続補正書】
【提出日】平成26年11月28日(2014.11.28)
【手続補正１】
【補正対象書類名】明細書
【補正対象項目名】００３４
【補正方法】変更
【補正の内容】
【００３４】
さらに、位置検出回路２００は、送信アンプを構成する電流ドライバ２０３に供給する電源電圧を制御するためのＤＣ−ＤＣコンバータ２１１を備えている。このＤＣ−ＤＣコンバータ２１１の制御端ＦＢには、Ｄ／Ａ（Digital to Analog）変換回路２１２を介して制御回路２１０から出力された制御コードＣＰ１が供給される。この制御コードＣＰ１は、電流ドライバ２０３に供給する電源電圧を制御するために使用される。この制御コードＣＰ１は、Ｄ／Ａ変換回路２１２においてアナログ値に変換されてＤＣ−ＤＣコンバータ２１１に供給される。
【手続補正２】
【補正対象書類名】明細書
【補正対象項目名】００３５
【補正方法】変更
【補正の内容】
【００３５】
ＤＣ−ＤＣコンバータ２１１は、その直流入力電圧Ｖｉｎを、制御コードＣＰ１に対応した直流出力電圧Ｖｏｕｔに変換し、電流ドライバ２０３の電源電圧ＰＷ１として供給する。そして、第１のセンサ２０から電子ペン２３に供給される電磁誘導信号の信号レベルは電源電圧ＰＷ１に応じて定まる。制御コードＣＰ１は、当該電子ペン２３からの電磁誘導信号を受けた第１のセンサ２０から出力される信号に基づいて、位置検出回路２００で電子ペン２３により指示された位置を、十分にジッタの発生を抑えた状態で検出することができるような値とされる。
【手続補正３】
【補正対象書類名】明細書
【補正対象項目名】００５１
【補正方法】変更
【補正の内容】
【００５１】
さらに、位置検出回路４００は、送信信号増幅回路４０３に供給する電源電圧を制御するためのＤＣ−ＤＣコンバータ４０７を備えている。このＤＣ−ＤＣコンバータ４０７の制御端ＦＢには、Ｄ／Ａ変換回路４０８を介して制御回路４１０から出力された制御コードＣＰ２が供給される。この制御コードＣＰ２は、第２のセンサ４０に供給される電源電圧が所定の信号レベルで供給されるように制御するために使用される。この制御コードＣＰ２は、Ｄ／Ａ変換回路４０８によりアナログ値に変換される。この制御コードＣＰ２により、後述する送信アンプ４０３Ａから第２のセンサ４０に供給される送信信号の信号レベルが設定されるようになっている。
【手続補正４】
【補正対象書類名】明細書
【補正対象項目名】００５２
【補正方法】変更
【補正の内容】
【００５２】
ＤＣ−ＤＣコンバータ４０７は、その直流入力電圧Ｖｉｎを、制御コードＣＰ２に対応して直流出力電圧Ｖｏｕｔに変換する。このＤＣ−ＤＣコンバータ４０７の直流出力電圧Ｖｏｕｔは、送信信号増幅回路４０３の複数個の送信アンプ４０３Ａのそれぞれに、電源電圧ＰＷ２として供給される。
【手続補正５】
【補正対象書類名】明細書
【補正対象項目名】００５４
【補正方法】変更
【補正の内容】
【００５４】
そして、制御回路４１０は、この位置指示状況判別回路４１１の判別結果に対応して、Ｄ／Ａ変換回路４０８を通じてＤＣ−ＤＣコンバータ４０７に供給する制御コードＣＰ２を可変制御する。したがって、送信信号増幅回路４０３の複数個の送信アンプ４０３Ａに供給される電源電圧ＰＷ２は、第１の指示体と第２の指示体による位置指示状況に対応して可変制御され、第２のセンサ４０に供給される送信信号の信号レベルは、その電源電圧ＰＷ２の可変制御に応じた信号レベルとなる。この送信信号の信号レベルの可変制御については、後で詳述する。
【手続補正６】
【補正対象書類名】明細書
【補正対象項目名】００６４
【補正方法】変更
【補正の内容】
【００６４】
［第２のセンサ４０への送信信号の送信レベル制御］
この第１の実施形態の位置検出装置では、静電容量方式の第２のセンサ４０に供給する送信信号が電磁誘導方式の第１のセンサ２０の位置検出回路２００へ及ぼす悪影響を、第２のセンサ４０に供給する送信信号の信号レベルを位置指示状況判別回路４１１による位置指示状況の判別結果に対応して制御することにより軽減する。
【手続補正７】
【補正対象書類名】明細書
【補正対象項目名】００６８
【補正方法】変更
【補正の内容】
【００６８】
そして、位置指示状況判別回路４１１は、制御回路２１０から供給された第１の指示体有無信号Ｄｍと、第２の指示体有無信号Ｄｃとから、位置検出装置における第１の指示体と第２の指示体の位置指示状況を判別する。制御回路４１０は、この位置指示状況判別回路４１１の判別結果に対応した制御コードＣＰ２を生成し、ＤＣ−ＤＣコンバータ４０７に供給する。
【手続補正８】
【補正対象書類名】明細書
【補正対象項目名】００６９
【補正方法】変更
【補正の内容】
【００６９】
ＤＣ−ＤＣコンバータ４０７は、その入力直流電圧Ｖｉｎを、制御コードＣＰ２に応じた出力直流電圧Ｖｏｕｔに変換し、その出力直流電圧Ｖｏｕｔを送信信号増幅回路４０３の各送信アンプの電源電圧ＰＷ２として供給する。これにより、第２のセンサ４０の第２の透明電極４２Ｙに供給される送信信号の信号レベルは、位置指示状況判別回路４１１の判別結果に対応して制御された信号レベルとなる。
【手続補正９】
【補正対象書類名】明細書
【補正対象項目名】００７５
【補正方法】変更
【補正の内容】
【００７５】
なお、図５中の「第２のセンサへの送信信号レベル」の欄に記載された各信号レベルは、制御回路４１０からＤＣ−ＤＣコンバータ４０７を制御するための制御コードＣＰ２により設定される。
【手続補正１０】
【補正対象書類名】明細書
【補正対象項目名】００８２
【補正方法】変更
【補正の内容】
【００８２】
すなわち、制御回路４１０の位置指示状況判別回路４１１は、位置情報出力回路４０６からの第２のセンサ４０の座標出力から生成した第２の指示体有無信号Ｄｃと、位置検出回路２００の制御回路２１０からの第１の指示体有無信号Ｄｍとを監視し、先ず、第２の指示体有無信号Ｄｃに基づき、第２の指示体が検出されている状況（状況５０３または状況５０４）であるか否か判別する（ステップＳ１０１）。
【手続補正１１】
【補正対象書類名】明細書
【補正対象項目名】００８３
【補正方法】変更
【補正の内容】
【００８３】
このステップＳ１０１において、第２の指示体が検出されてはいない状況（状況５０１または状況５０２）と判別されたときには、制御回路４１０は、制御コードＣＰ２によりＤＣ−ＤＣコンバータ４０７を制御して、第２のセンサ４０に供給される送信信号の信号レベルを、前述の低レベルＥＬに設定する（ステップＳ１０２）。その後、制御回路４１０は、処理をステップＳ１０１に戻し、このステップＳ１０１以降の処理を繰り返す。
【手続補正１２】
【補正対象書類名】明細書
【補正対象項目名】００８４
【補正方法】変更
【補正の内容】
【００８４】
また、ステップＳ１０１で、第２の指示体が検出されている状況（状況５０３または状況５０４）であると判別したときには、制御回路４１０の位置指示状況判別回路４１１は、第１の指示体有無信号Ｄｍに基づき、第２の指示体のみでなく第１の指示体も検出されている状況（状況５０４）であるか否か判別する（ステップＳ１０３）。このステップＳ１０３で、第１の指示体と第２の指示体とが同時に検出されている状況（状況５０４）であると判別されたときには、制御回路４１０は、第２のセンサ４０に供給する送信信号の信号レベルを、前述の中レベルＥＭとするような制御コードＣＰ２を、Ｄ／Ａ変換回路４０８を通じてＤＣ−ＤＣコンバータ４０７に出力する（ステップＳ１０４）。その後、制御回路４１０は、処理をステップＳ１０１に戻し、このステップＳ１０１以降の処理を繰り返す。
【手続補正１３】
【補正対象書類名】明細書
【補正対象項目名】００８５
【補正方法】変更
【補正の内容】
【００８５】
また、ステップＳ１０３で、第２の指示体は検出されているが、第１の指示体が検出されていない状況（状況５０３）であると判別されたときには、制御回路４１０は、送信信号レベルを、前述の高レベルＥＨとするような制御コードＣＰ２を、Ｄ／Ａ変換回路４０８を通じてＤＣ−ＤＣコンバータ４０７に出力する（ステップＳ１０５）。その後、制御回路４１０は、処理をステップＳ１０１に戻し、このステップＳ１０１以降の処理を繰り返す。
【手続補正１４】
【補正対象書類名】明細書
【補正対象項目名】００９６
【補正方法】変更
【補正の内容】
【００９６】
制御回路２１０の位置指示状況判別回路は、第１の指示体有無信号Ｄｍと第２の指示体有無信号Ｄｃとから、第１の指示体および第２の指示体の位置指示状況を判別する。そして、制御回路２１０は、Ｄ／Ａ変換回路２１２を通じてＤＣ−ＤＣコンバータ２１１に供給する制御コードＰ１を、その位置指示状況判別回路の判別結果に対応して可変制御することで、第１のセンサ２０に供給される送信信号（交流信号）の信号レベルを制御する。その他の構成は、上述した第１の実施形態と同様とする。
【手続補正１５】
【補正対象書類名】明細書
【補正対象項目名】０１０２
【補正方法】変更
【補正の内容】
【０１０２】
このステップＳ２０１において、第１の指示体が検出されてはいない状況（状況５０１または状況５０３）であると判別されたときには、制御回路２１０は、制御コードＣＰ１によりＤＣ−ＤＣコンバータ２１１を制御して、第１のセンサ２０に供給される送信信号の信号レベルを、前述の低レベルに設定する（ステップＳ２０２）。その後、制御回路２１０は、処理をステップＳ２０１に戻し、このステップＳ２０１以降の処理を繰り返す。
【手続補正１６】
【補正対象書類名】明細書
【補正対象項目名】０１０４
【補正方法】変更
【補正の内容】
【０１０４】
このステップＳ２０３で、第１の指示体に加えて第２の指示体が検出されている状況（状況５０４）であると判別されたときには、制御回路２１０は、制御コードＣＰ１によりＤＣ−ＤＣコンバータ２１１を制御して、第１のセンサ２０に供給される送信信号の信号レベルを、前述の中レベルＥＭに設定する（ステップＳ２０４）。その後、制御回路２１０は、処理をステップＳ２０１に戻し、このステップＳ２０１以降の処理を繰り返す。
【手続補正１７】
【補正対象書類名】明細書
【補正対象項目名】０１０５
【補正方法】変更
【補正の内容】
【０１０５】
また、ステップＳ２０３で、第１の指示体は検出されているが、第２の指示体は検出されていない状況（状況５０２）であると判別されたときには、制御回路２１０は、制御コードＣＰ１によりＤＣ−ＤＣコンバータ２１１を制御して、第１のセンサ２０に供給される送信信号の信号レベルを、前述の高レベルに設定する（ステップＳ２０５）。その後、制御回路２１０は、処理をステップＳ２０１に戻し、このステップＳ２０１以降の処理を繰り返す。
【手続補正１８】
【補正対象書類名】明細書
【補正対象項目名】０１４４
【補正方法】変更
【補正の内容】
【０１４４】
また、上述の説明では、第１の指示体および第２の指示体についての指示体有無信号を生成し、位置指示状況判別回路では、その指示体有無信号に基づいて、位置指示状況を判別するようにした。しかし、指示体有無信号を生成することなく、位置指示状況判別回路で、第１のセンサ２０および第２のセンサ４０についての位置検出回路の座標出力に基づいて、あるいは、第１のセンサ２０および第２のセンサ４０からのセンサ出力に基づいて、位置指示状況を判別するようにしても良い。